(57)【要約】【課題】  開閉ドア４０が閉じられたときに、開閉ドア４０をフレーム３０（筐体３）に対して精度よく位置決めする。【解決手段】  フレーム３０に設けた第１、２本体側当接部３０Ｂ、３０Ｃをドアフレーム４１に当てて水平方向の位置決めをし、ドアフレーム４１に設けた鉛直位置決め部４５をフレーム３０に設けた当て面３０Ａに上方側から当てて鉛直方向の位置決めするとともに、ロック機構６０で発生する反力及びヒンジバネ５４により、第１、２本体側当接部３０Ｂ、３０Ｃ及び当て面３０Ａにおける接触面圧が増大するように構成する。これにより、開閉ドア４０がフレーム３０に対してがたついてしまうことなく確実に位置決めされる。【選択図】  図７
2008032836.tif 000002
【特許請求の範囲】
【請求項１】
記録媒体に画像を形成する画像形成手段と、
前記画像形成手段を支持するフレーム及び前記フレームを覆う筐体を有し、前記画像形成手段を収納する本体部材と、
前記本体部材に設けられた開口部を開閉するとともに、ヒンジ機構を介して前記本体部材に揺動可能に組み付けられたドア部材とを備え、
前記本体部材には、
前記ドア部材のうち前記ヒンジ機構側の第１所定部位に水平方向から接触して前記ドア部材を前記本体部材に対して位置決めする第１位置決め部、
前記ドア部材のうち前記ヒンジ機構と反対側の第２所定部位に水平方向から接触して前記ドア部材を前記本体部材に対して位置決めする第２位置決め部、及び
前記ドア部材に設けられた鉛直位置決め部と鉛直方向から接触して前記ドア部材を前記本体部材に対して位置決めする第３位置決め部が設けられており、
さらに、前記第１〜３位置決め部における接触面圧を増大させる向きの弾性力を前記ドア部材に作用させる弾性手段を備えていることを特徴とする画像形成装置。
【請求項２】
記録媒体に画像を形成する画像形成手段と、
前記画像形成手段を支持するフレーム及び前記フレームを覆う筐体を有し、前記画像形成手段を収納する本体部材と、
前記本体部材に設けられた開口部を開閉するとともに、ヒンジ機構を介して前記本体部材に揺動可能に組み付けられたドア部材と、
前記ドア部材に一体化され、記録媒体の搬送を案内する搬送手段とを備え、
前記本体部材には、
前記ドア部材のうち前記ヒンジ機構側の第１所定部位に水平方向から接触して前記ドア部材を前記本体部材に対して位置決めする第１位置決め部、
前記ドア部材のうち前記搬送手段を挟んで前記ヒンジ機構と反対側の第２所定部位に水平方向から接触して前記ドア部材を前記本体部材に対して位置決めする第２位置決め部、及び
前記ドア部材に設けられた鉛直位置決め部と鉛直方向から接触して前記ドア部材を前記本体部材に対して位置決めする第３位置決め部が設けられており、
さらに、前記第１〜３位置決め部における接触面圧を増大させる向きの弾性力を前記ドア部材に作用させる弾性手段を備えていることを特徴とする画像形成装置。
【請求項３】
前記ヒンジ機構と反対側には、前記ドア部材が閉じられた状態を保持するロック機構が設けられ、
前記ロック機構は、
前記ドア部材及び前記本体部材のうちいずれか一方の部材に設けられ、前記一方の部材から他方の部材側に延びるとともに、先端側に突起部が設けられた鉤状の係合アーム、
前記他方の部材に設けられ、前記突起部の傾斜面に接触して前記係合アームと係合する係合突起部、並びに
前記傾斜面と前記係合突起部との接触面圧を増大させる向きの弾性力を、前記係合アーム及び前記係合突起部のうち少なくとも一方に作用させる第１バネ手段を有して構成されており、
さらに、前記傾斜面と前記係合突起部との接触部で発生する力により、前記ドア部材が前記第１〜３位置決め部における接触面圧が増大する向きに押圧されることを特徴とする請求項１又は２に記載の画像形成装置。
【請求項４】
前記ヒンジ機構側には、前記第１、２位置決め部の接触面圧が増大するように前記ドア部材を前記本体部材側に引き寄せる第２バネ手段が備えられていることを特徴とする請求項１ないし３のいずれか１つに記載の画像形成装置。
【請求項５】
前記ドア部材の剛性は、前記本体部材の剛性に比べて小さいことを特徴とする請求項１ないし４のいずれか１つに記載の画像形成装置。
【請求項６】
前記ヒンジ機構は、前記ドア部材に設けられた第１長穴、前記本体部材に設けられた第２長穴、及び前記第１、２長穴に摺動可能、かつ、回転可能に嵌合された回転軸を有して構成されており、
さらに、前記第２長穴の長径方向は水平方向に略平行であり、かつ、前記第１長穴の長径方向と前記第２長穴の長径方向とは、前記回転軸線方向から見て、前記ドア部材が閉じられた場合において略直交していることを特徴とする請求項１ないし５のいずれか１つに記載の画像形成装置。
【請求項７】
前記第１〜３位置決め部は、前記フレームに設けられていることを特徴とする請求項１ないし６に記載の画像形成装置。
【発明の詳細な説明】
【技術分野】
【０００１】
本発明は、画像形成装置に関するもので、特に、電子写真方式（レーザ方式）のカラープリンタに適用して有効である。
【背景技術】
【０００２】
例えばレーザプリンタ内には、露光装置（スキャナ）、転写装置（プロセスカートリッジ）や定着装置等からなる画像形成装置が収納されている。そして、レーザプリンタ内で詰まった記録紙やＯＨＰシート等の記録媒体を除去する等のために、通常、画像形成装置が収納された本体部材には、メンテナンス用の開口部、及びこの開口部を開閉するドア部材（開閉カバー）が設けられている（例えば、特許文献１参照）。
【特許文献１】特開平３−２６７２２６号公報
【発明の開示】
【発明が解決しようとする課題】
【０００３】
ところで、ドア部材は、通常、ヒンジ機構を介して本体部材に揺動可能に組み付けられており、かつ、ヒンジ機構は、通常、比較的大きながたつきを有しているので、ドア部材が閉じられたときに、ドア部材が本体部材に対してずれ易い。
【０００４】
そして、ドア部材が本体部材に対してずれてしまうと、ドア部材が閉じられた状態において、本体部材の外観意匠面とドア部材の外観意匠面との間に大きな段差が発生してしまい、レーザプリンタの外観意匠を損ねてしまう。
【０００５】
本発明は、上記点に鑑み、ドア部材が閉じられたときに、ドア部材を本体部材に対して精度よく位置決めすることができる画像形成装置を提供することを目的とする。
【課題を解決するための手段】
【０００６】
本発明は、上記目的を達成するために、請求項１に記載の発明では、記録媒体に画像を形成する画像形成手段（１０）と、画像形成手段（１０）を支持するフレーム（３０）及びフレーム（３０）を覆う筐体（３）を有し、画像形成手段（１０）を収納する本体部材（３、３０）と、本体部材（３、３０）に設けられた開口部を開閉するとともに、ヒンジ機構（５０）を介して本体部材（３、３０）に揺動可能に組み付けられたドア部材（４０）とを備え、本体部材（３、３０）には、ドア部材（４０）のうちヒンジ機構（５０）側の第１所定部位（４１Ａ）に水平方向から接触してドア部材（４０）を本体部材（３、３０）に対して位置決めする第１位置決め部（３０Ｂ）、ドア部材（４０）のうちヒンジ機構（５０）と反対側の第２所定部位（４１Ｂ）に水平方向から接触してドア部材（４０）を本体部材（３、３０）に対して位置決めする第２位置決め部（３０Ｃ）、及びドア部材（４０）に設けられた鉛直位置決め部（４５）と鉛直方向から接触してドア部材（４０）を本体部材（３、３０）に対して位置決めする第３位置決め部（３０Ａ）が設けられており、さらに、第１〜３位置決め部（３０Ａ〜３０Ｃ）における接触面圧を増大させる向きの弾性力をドア部材（４０）に作用させる弾性手段（５４、６３）を備えていることを特徴とする。
【０００７】
これにより、請求項１に記載の発明では、ドア部材（４０）は本体部材（３、３０）に対して、第１、２位置決め部（３０Ｂ、３０Ｃ）により水平方向の位置決めがされ、第３位置決め部（３０Ａ）により鉛直方向の位置決めがされる。
【０００８】
そして、第１〜３位置決め部（３０Ａ〜３０Ｃ）における接触面圧を増大させる向きの力が、ドア部材（４０）に作用しているので、ドア部材（４０）が本体部材（３、３０）に対してがたついてしまうことなく確実に位置決めされる。
【０００９】
ところで、仮に、第１位置決め部（３０Ｂ）を廃止してヒンジ機構（５０）と反対側の第２位置決め部（３０Ｃ）及び第３位置決め部（３０Ａ）のみとすると、前述したように、ヒンジ機構（５０）は、通常、比較的大きながたつきを有しているので、ヒンジ機構（５０）と反対側については、精度よく位置決めをすることができるものの、ヒンジ機構（５０）側は、ヒンジ機構（５０）のがたつきの影響を強く受けてしまうので、ドア部材（４０）のうちヒンジ機構（５０）側を精度よく位置決めすることが難しくなるとともに、ドア部材（４０）のヒンジ機構（５０）側が本体部材（３、３０）に対してがたついてしまうおそれがある。
【００１０】
これに対して、請求項１に記載の発明では、ヒンジ機構（５０）側の第１位置決め部（３０Ｂ）とヒンジ機構（５０）と反対側の第２位置決め部（３０Ｃ）とを有しているので、ドア部材（４０）のヒンジ機構（５０）側が本体部材（３、３０）に対してがたつくことなく、高い精度で位置決めすることができる。
【００１１】
したがって、請求項１に記載の発明では、ドア部材（４０）が閉じられたときに、ドア部材（４０）を本体部材（３、３０）に対して精度よく位置決めすることができる。
ところで、画像形成装置では、搬送ローラ等の記録媒体を搬送するために搬送手段がドア部材（４０）に組み付けられる場合があるが、このような場合に、本体部材（３、３０）に対するドア部材（４０）の位置決め精度が低いと、これに呼応して、本体部材（３、３０）に対する搬送手段（２２Ｂ）の位置が設計中心値からずれてしまうので、記録媒体を滑らかに搬送することができなくなってしまう。
【００１２】
これに対して、請求項２に記載の発明では、記録媒体に画像を形成する画像形成手段（１０）と、画像形成手段（１０）を支持するフレーム（３０）及びフレーム（３０）を覆う筐体（３）を有し、画像形成手段（１０）を収納する本体部材（３、３０）と、本体部材（３、３０）に設けられた開口部を開閉するとともに、ヒンジ機構（５０）を介して本体部材（３、３０）に揺動可能に組み付けられたドア部材（４０）と、ドア部材（４０）に一体化され、記録媒体の搬送を案内する搬送手段（２２Ｂ）とを備え、本体部材（３、３０）には、ドア部材（４０）のうちヒンジ機構（５０）側の第１所定部位（４１Ａ）に水平方向から接触してドア部材（４０）を本体部材（３、３０）に対して位置決めする第１位置決め部（３０Ｂ）、ドア部材（４０）のうち搬送手段（２２Ｂ）を挟んでヒンジ機構（５０）と反対側の第２所定部位（４１Ｂ）に水平方向から接触してドア部材（４０）を本体部材（３、３０）に対して位置決めする第２位置決め部（３０Ｃ）、及びドア部材（４０）に設けられた鉛直位置決め部（４５）と鉛直方向から接触してドア部材（４０）を本体部材（３、３０）に対して位置決めする第３位置決め部（３０Ａ）が設けられており、さらに、第１〜３位置決め部（３０Ａ〜３０Ｃ）における接触面圧を増大させる向きの弾性力をドア部材（４０）に作用させる弾性手段（５４、６３）を備えていることを特徴としている。
【００１３】
このため、請求項２に記載の発明では、請求項１に記載の発明と同様に、ドア部材（４０）が閉じられたときに、ドア部材（４０）を本体部材（３、３０）に対して精度よく位置決めすることができるので、本体部材（３、３０）に対する搬送手段（２２Ｂ）の位置が設計中心値から大きくずれてしまうことを防止でき、記録媒体を滑らかに搬送することができる。
【００１４】
また、請求項２に記載の発明では、最も高い位置決め精度を必要とする搬送手段（２２Ｂ）を挟んでヒンジ機構（５０）側及びこれと反対側に位置決め部（３０Ｂ、３０Ｃ）が設けられているので、搬送手段（２２Ｂ）を、確実、かつ、高い精度で位置決めすることができる。
【００１５】
ところで、特許文献１に記載の発明では、ドア本体側の搬送ローラを弾性部材を介してドア部材に組み付けることにより、本体部材に対するドア部材の位置ずれを弾性部材にて吸収しているが、この手段では、弾性部材がドア部材に収納されているため、ドア部材の厚みが大きくならざるを得なく、画像形成装置の大型化を招いてしまう。
【００１６】
これに対して、請求項２に記載の発明では、前述したように、ドア部材（４０）を本体部材（３、３０）に対して高い精度で位置決めすることができ、かつ、搬送手段がドア部材（４０）に一体化されていので、本体部材に対するドア部材の位置ずれを吸収する弾性部材をドア部材（４０）に設ける必要がない。このため、請求項２に記載の発明では、ドア部材（４０）の厚みが大きくなることを防止できるので、画像形成装置の大型化を防止できる。
【００１７】
以上に説明したように、請求項２に記載の発明では、画像形成装置の大型化を防止しつつ、搬送手段（２２Ｂ）及びドア部材（４０）を高い精度で位置決めすることができる。
また、請求項３に記載の発明では、ヒンジ機構（５０）と反対側には、ドア部材（４０）が閉じられた状態を保持するロック機構（６０）が設けられ、ロック機構（６０）は、ドア部材（４０）及び本体部材（３、３０）のうちいずれか一方の部材（４０）に設けられ、一方の部材（４０）から他方の部材（３、３０）側に延びるとともに、先端側に突起部（６１Ｂ）が設けられた鉤状の係合アーム（６１）、他方の部材（３、３０）に設けられ、突起部（６１Ｂ）の傾斜面（６１Ａ）に接触して係合アーム（６１）と係合する係合突起部（６２）、並びに傾斜面（６１Ａ）と係合突起部（６２）との接触面圧を増大させる向きの弾性力を、係合アーム（６１）及び係合突起部（６２）のうち少なくとも一方に作用させる第１バネ手段（６３）を有して構成されており、さらに、傾斜面（６１Ａ）と係合突起部（６２）との接触部で発生する力により、ドア部材（４０）が第１〜３位置決め部（３０Ａ〜３０Ｃ）における接触面圧が増大する向きに押圧されることを特徴とする。
【００１８】
これにより、請求項３に記載の発明では、ロック機構（６０）により弾性手段（５４、６３）の少なくとも一部が構成されることとなる。
また、請求項４に記載の発明では、ヒンジ機構（５０）側には、第１、２位置決め部（３０Ｂ、３０Ｃ）の接触面圧が増大するようにドア部材（４０）を本体部材（３、３０）側に引き寄せる第２バネ手段（５４）が備えられていることを特徴とする。
【００１９】
これにより、請求項４に記載の発明では、第２バネ手段（５４）により弾性手段（５４、６３）の少なくとも一部が構成されることとなる。
また、請求項５に記載の発明では、ドア部材（４０）の剛性が、本体部材（３、３０）の剛性に比べて小さいことを特徴とする。
【００２０】
これにより、請求項５に記載の発明では、ドア部材（４０）が閉じられたときに、ドア部材（４０）を本体部材（３、３０）の形状に沿うように撓み変形させることができるので、ドア部材（４０）又は本体部材（３、３０）が、多少、歪んでいる場合であっても、ドア部材（４０）を本体部材（３、３０）に対して精度よく位置決めすることができる。
【００２１】
請求項６に記載の発明では、ヒンジ機構（５０）は、ドア部材（４０）に設けられた第１長穴（５１）、本体部材（３、３０）に設けられた第２長穴（５２）、及び第１、２長穴（５１、５２）に摺動可能、かつ、回転可能に嵌合された回転軸（５３）を有して構成されており、さらに、第２長穴（５２）の長径方向は水平方向に略平行であり、かつ、第１長穴（５１）の長径方向と第２長穴（５２）の長径方向とは、回転軸線方向から見て、ドア部材（４０）が閉じられた場合において略直交していることを特徴とする。
【００２２】
これにより、ドア部材（４０）が開かれて略水平となったときには、ドア部材（４０）に設けられた第１長穴（５１）及び本体部材（３、３０）に設けられた第２長穴（５２）は、両方とも、その長手方向が略水平となるので、ドア部材（４０）の鉛直方向のがたつきが規制される。
【００２３】
したがって、ドア部材（４０）が開かれた状態において、ユーザがドア部材（４０）のがたつきを感じ難くなるので、ドア部材（４０）を開いたときに使用者が感じる感触を向上させることができる。
【００２４】
また、ドア部材（４０）が閉じられたときには、第１長穴（５１）の長径方向と第２長穴（５２）の長径方向とが略直交しているので、ドア部材（４０）が変位することにより本体部材（３、３０）に対するドア部材（４０）の組み付け寸法バラツキを吸収して、確実に第１〜３位置決め部（３０Ａ〜３０Ｃ）を接触させることができる。したがって、ドア部材（４０）を本体部材（３、３０）に対して高い精度で位置決めすることができる。
【００２５】
なお、第１〜３位置決め部（３０Ａ〜３０Ｃ）は、請求項７に記載の発明のごとく、フレーム（３０）に設けることが望ましい。
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００２６】
本実施形態は、本発明に係る画像形成装置を電子写真方式の画像形成装置（レーザプリンタ）に適用したものである。以下、図面と共に本実施形態に係る画像形成装置を説明する。
【００２７】
図１は本実施形態に係るレーザプリンタ１の外観斜視図であり、図２はレーザプリンタ１を鉛直方向断面にて切断したときの概略断面図であり、図３は図２において開閉ドア４０を開いた状態を示す図であり、図４はロック機構６０の拡大図であり、図５及び図６はヒンジ機構５０の拡大図であり、図７は図２のＡ部拡大図である。
【００２８】
１．レーザプリンタ１の構成
１．１．レーザプリンタ１の概略構成
本実施形態に係るレーザプリンタ１は、図１の手前側を前面側として使用されるものであり、筐体３の上面には、画像形成が終了した記録用紙等の記録媒体が載置される排紙トレイ５、及びレーザプリンタ１を設定操作するための操作パネル７が設けられており、排紙トレイ５の後端側には、画像形成が終了した記録媒体を排出する排出部９が設けられている。
【００２９】
また、筐体３内には、図２に示すように、電子写真方式の画像形成部１０、及び画像形成部１０に搬送される記録媒体が載置される給紙トレイ２０等が配設されており、画像形成部１０及び給紙トレイ２０は、筐体３に覆われるように筐体３内に設けられたフレーム３０に着脱可能に組み付けられている。
【００３０】
フレーム３０は、記録媒体の搬送方向と直交する水平方向両側に設けられた板状のサイドフレーム３１、及びこれらサイドフレーム３１の上端側を連結する天板部（図示せず。）等から構成されており、このフレーム３０の上方前方部（図２の右側）には、両サイドフレーム３１を連結する角パイプ状の補強部材３２が設けられている。
【００３１】
因みに、補強部材３２及び天板部は、ＳＰＣＣ（冷間圧延鋼板）等の金属製であり、サイドフレーム３１は、主要部がＡＢＳやポリマーアロイ等の機械的強度の優れた樹脂にて構成された後、ＳＰＣＣ等の金属板にて補強されている。そして、サイドフレーム３１、補強部材３２及び天板部それぞれは、Ｐネジ（図示せず。）等の機械的締結手段にて互いに連結固定されている。
【００３２】
また、筐体３の水平方向端部側には開口部３Ａが設けられており、この開口部３Ａは開閉ドア４０により開閉され、この開閉ドア４０は、ヒンジ機構５０を介して筐体３又はフレーム３０に揺動可能に組み付けられている。
【００３３】
なお、開口部３Ａは、画像形成部１０の一部を構成するプロセスカートリッジの着脱、及び筐体３（レーザプリンタ１）内で詰まった記録媒体を除去するため等のものであり、本実施形態では、開口部３Ａは、レーザプリンタ１の前側（図２の右側）に設けられている。
【００３４】
１．２．画像形成部（図２参照）
画像形成部１０は、給紙トレイ２０から搬送されてきた記録媒体に画像を形成する画像形成手段である。具体的には、画像形成部１０は、給紙トレイ２０の上方側に配置されて感光ドラムや現像剤（トナー）が収納された現像カートリッジ等からなるプロセスカートリッジ、プロセスカートリッジの上方側に配設されて感光ドラムを露光することにより静電潜像を形成する露光器（スキャナ）、感光ドラムと対向する位置に配置されて感光ドラムに形成された現像剤像を記録媒体に転写する転写器、及び記録媒体に転写された現像剤を加熱して記録媒体に定着させる定着器等を有して構成されている。
【００３５】
１．３．搬送機構（図２、図７参照）
搬送ローラ２１は、給紙トレイ２０の上方側に配設されて給紙トレイ２０に載置されている記録媒体に搬送力を付与するものであり、この搬送ローラ２１により搬送力が付与された記録媒体は、案内ローラ（図示せず。）等の第１案内機構によりその搬送方向が上方側に略９０°転向された後、第２案内機構２２により搬送方向が水平方向に略９０°転向されて画像形成部１０に搬送される。
【００３６】
また、第２案内機構２２は、一対のローラ２２Ａ、２２Ｂにて記録媒体を挟持するように記録媒体を案内搬送する搬送案内手段であり、ローラ２２Ａは、フレーム３０に回転可能に組み付けられ、電動モータ等の駆動源（図示せず。）から駆動力を得て回転する駆動ローラである。
【００３７】
一方、ローラ２２Ｂは、開閉ドア４０に回転可能に組み付けられた搬送手段であり、このローラ２２Ｂは、開閉ドア４０が閉じられた際にローラ２２Ａと接触するように配置されている。このため、給紙トレイ２０から記録媒体が搬送されてくると、搬送されてきた記録媒体は、ローラ２２Ｂによりローラ２２Ａに押し付けられる。
【００３８】
１．４、開閉ドア４０及びヒンジ機構５０（図５、図７参照）
開閉ドア４０は、図７に示すように、開閉ドア４０の骨格を構成するドアフレーム４１、及びドアフレーム４１の外側を覆って意匠面を構成するドアカバー４２を有して構成されており、ドアフレーム４１は、ドアカバー４２に形成された突起状のボス部４２ＡにＰネジ４３等の機械的締結手段に固定されてドアカバー４２と一体化されている。
【００３９】
また、ドアフレーム４１には、第２案内機構２２のローラ２２Ｂを回転可能に支持するアーム部４４が一体化されており、このアーム部４４には、フレーム３０に設けられた位置決め用の当て面３０Ａに鉛直方向上方側から接触する鉛直位置決め部４５が設けられている。
【００４０】
なお、鉛直位置決め部４５は、開閉ドア４０のうち開閉ドア４０の揺動軸と平行な幅方向両端側に設けられ、かつ、当て面３０Ａとの接触面が曲面状に構成されたもので、本実施形態では、鉛直位置決め部４５とアーム部４４とは樹脂にて一体成形されている。
【００４１】
一方、当て面３０Ａは、フレーム３０（サイドフレーム３１）に形成され、鉛直方向と交差する方向（本実施形態では、略水平方向）に延びる面であり、この当て面３０Ａは、鉛直位置決め部４５と鉛直方向から接触して開閉ドア４０をフレーム３０（筐体３）に対して鉛直方向の位置決めする第３位置決め部を構成するものである
また、ヒンジ機構５０の開閉ドア４０側はドアフレーム４１に連結されており、このヒンジ機構５０は、図５に示すように、ドアフレーム４１に設けられた長穴５１（以下、ドア側長穴５１という。）、フレーム３０又は筐体３に設けられた長穴５２（以下、本体側長穴５２という。）、及び両長穴５１、５２に摺動可能、かつ、回転可能に嵌合された回転軸５３を有して構成されている。
【００４２】
因みに、本実施形態では、回転軸５３の長手方向一端側に両長穴５１、５２の短径寸法より大きな直径寸法を有する傘状のフランジ部（図示せず。）を設け、他端側に両長穴５１、５２の短径寸法より大きな直径寸法を有する平ワッシャを組み付けることにより、回転軸５３が両長穴５１、５２から脱落することを防止している。
【００４３】
そして、本実施形態では、本体側長穴５２の長径方向が水平方向と略一致するように本体側長穴５２を設けた上で、開閉ドア４０が閉じられた場合に回転軸線方向（紙面と垂直な方向）から見て、ドア側長穴５１の長径方向と本体側長穴５２の長径方向とが略直交するように両長穴５１、５２が設けられている。
【００４４】
また、ヒンジ機構５０の近傍には、図７に示すように、板バネ状のヒンジバネ５４が設けられており、このヒンジバネ５４は、その固定点側がＰネジ等の締結手段によりフレーム３０（筐体３）に固定された状態で回転軸５３をフレーム３０側に引き寄せるような弾性力を作用させている。このため、ヒンジバネ５４は、第１、２本体側当接部３０Ｂ、３０Ｃと開閉ドア４０（ドアフレーム４１）との接触面圧を増大させる向きの弾性力を開閉ドア４０に作用させる第２バネ手段として機能する。
【００４５】
つまり、本実施形態では、本体側長穴５２の長径方向が水平方向と一致し、かつ、開閉ドア４０が閉じられた場合にドア側長穴５１の長径方向と本体側長穴５２の長径方向とが略直交するので、開閉ドア４０閉じられた状態において、ドア側長穴５１の長径方向は鉛直方向とほぼ一致する。
【００４６】
そこで、回転軸５３をフレーム３０側からフレーム３０側に引き寄せるように、ドア側長穴５１の長径方向（水平方向）の弾性力を回転軸５３に作用させると、回転軸５３はドア側長穴５１に対してその短径方向に変位することができないため、開閉ドア４０（ドアフレーム４１）はヒンジバネ５４の弾性力により本体側長穴５２の長径方向である水平方向に沿ってフレーム３０側に移動しようとし、第１、２本体側当接部３０Ｂ、３０Ｃと開閉ドア４０（ドアフレーム４１）との接触面圧が増大する。
【００４７】
また、第１本体側当接部３０Ｂは、フレーム３０（サイドフレーム３１）の下端側に設けられ、ドアフレーム４１のうちヒンジ機構５０側の第１所定部位４１Ａに水平方向から接触して開閉ドア４０をフレーム３０（筐体３）に対して位置決めする第１位置決め部である。
【００４８】
また、第２本体側当接部３０Ｃは、フレーム３０（サイドフレーム３１）の上端側に設けられ、ドアフレーム４１のうち第２案内機構２２を挟んでヒンジ機構５０と反対側の第２所定部位４１Ｂに水平方向から接触して開閉ドア４０をフレーム３０（筐体３）に対して位置決めする第２位置決め部である。
【００４９】
１．５．ロック機構（図４、図７参照）
第２案内機構２２を挟んでヒンジ機構５０と反対側、つまり開口部３Ａの上方側には、開閉ドア４０が閉じられた状態を保持するロック機構６０が設けられており、このロック機構６０は、図４に示すように、開閉ドア４０に設けられた係合アーム６１とフレーム３０（筐体３）側に設けられた係合突起部６２とを係合させることにより開閉ドア４０が閉じられた状態を保持するものである。
【００５０】
係合アーム６１は、根元側がドアフレーム４１に揺動可能に組み付けられ、先端側がフレーム３０側に延び、かつ、その先端側に、鉛直方向に対して傾斜した傾斜面６１Ａが形成された突起部６１Ｂを有す鉤状のアーム部材である。
【００５１】
なお、傾斜面６１Ａは、上端側が下端側より係合アーム６１の先端側（図４の左側）に位置するように鉛直方向に対して傾斜しており、その傾斜角は、本実施形態では略４５°である。
【００５２】
また、係合アーム６１のうち傾斜面６１Ａより先端側には、係合アーム６１を係合突起部６２に係合させる際に、後述する突起部側案内面６２Ａに摺動しながら接触するアーム側案内面６１Ｃが設けられており、このアーム側案内面６１Ｃは、上端側が下端側よりも係合アーム６１の根元側に近づくように鉛直方向に対して傾斜している。
【００５３】
一方、係合突起部６２は、傾斜面６１Ａより上方側に位置して上方側から傾斜面６１Ａに対して接触して係合アーム６１の突起部６１Ｂと係合するものであり、この係合突起部６２のうち傾斜面６１Ａと接触する頂部６２Ａから係合アーム６１の根元側に向かう範囲には、上端側が下端側よりも係合アーム６１の根元側に近づくように鉛直方向に対して傾斜した突起部側案内面６２Ａが設けられている。
【００５４】
また、コイルバネ６３は、傾斜面６１Ａと係合突起部６２との接触面圧を増大させる向きの弾性力を係合アーム６１に作用させる第１バネ手段であり、本実施形態では、傾斜面６１Ａと係合突起部６２との接触部より係合アーム６１の根元側でコイルバネ６３の弾性力が係合アーム６１に作用するように構成されている。
【００５５】
そして、係合アーム６１と係合突起部６２とが係合した状態では、図４に示すように、係合アーム６１は、係合突起部６２から受ける反力Ｆｏの水平方向成分Ｆ1及び鉛直方向成分Ｆ2をドアフレーム４１（開閉ドア４０）に対して作用させるので、水平方向成分Ｆ1により、第１、２本体側当接部３０Ｂ、３０Ｃと開閉ドア４０（ドアフレーム４１）との接触面圧が増大し、鉛直方向成分Ｆ2及び開閉ドア４０に作用する重力により鉛直位置決め部４５と当て面３０Ａとの接触面圧が増大する。
【００５６】
２．本実施形態に係るレーザプリンタ１の特徴
本実施形態では、開閉ドア４０はフレーム３０に対して、第１、２本体側当接部３０Ｂ、３０Ｃにより水平方向の位置決めがされ、当て面３０Ａにより鉛直方向の位置決めがされる。
【００５７】
そして、第１、２本体側当接部３０Ｂ、３０Ｃ及び当て面３０Ａにおける接触面圧を増大させる向きの力が、開閉ドア４０に作用しているので、開閉ドア４０がフレーム３０に対してがたついてしまうことなく確実に位置決めされる。
【００５８】
ところで、仮に、第１本体側当接部３０Ｂを廃止して、第２本体側当接部３０Ｃ及び当て面３０Ａのみとすると、前述したように、ヒンジ機構５０は、通常、比較的大きながたつきを有しているので、ヒンジ機構５０と反対側（上端側）については、精度よく位置決めをすることができるものの、ヒンジ機構５０（下端）側は、ヒンジ機構５０のがたつきの影響を強く受けてしまうので、開閉ドア４０のうちヒンジ機構５０側を精度よく位置決めすることが難しくなるとともに、開閉ドア４０のヒンジ機構５０側がフレーム３０に対してがたついてしまうおそれがある。
【００５９】
これに対して、本実施形態では、ヒンジ機構５０側の第１本体側当接部３０Ｂとヒンジ機構５０と反対側の第２本体側当接部３０Ｃとを有しているので、開閉ドア４０のヒンジ機構５０側がフレーム３０に対してがたつくことなく、高い精度で位置決めすることができる。したがって、本実施形態では、開閉ドア４０が閉じられたときに、開閉ドア４０をフレーム３０及び筐体３に対して精度よく位置決めすることができる。
【００６０】
また、本実施形態では、ローラ２２Ｂが開閉ドア４０（ドアフレーム４１）に組み付けられているが、このような場合に、フレーム３０に対するドアフレーム４１の位置決め精度が低いと、これに呼応して、フレーム３０に対するローラ２２Ｂの位置が設計中心値からずれてしまうので、記録媒体を滑らかに搬送することができなくなってしまう。
【００６１】
これに対して、本実施形態では、前述したように、開閉ドア４０が閉じられたときに、開閉ドア４０をフレーム３０に対して精度よく位置決めすることができるので、フレーム３０に対するローラ２２Ｂの位置が設計中心値から大きくずれてしまうことを防止でき、記録媒体を滑らかに搬送することができる。
【００６２】
また、本実施形態では、最も高い位置決め精度を必要とするローラ２２Ｂを挟んでヒンジ機構５０側及びこれと反対側に本体側当接部３０Ｂ、３０Ｃが設けられているので、ローラ２２Ｂを、確実、かつ、高い精度で位置決めすることができる。
【００６３】
ところで、特許文献１に記載の発明では、ドア本体側の搬送ローラを弾性部材を介してドア部材に組み付けることにより、本体部材に対するドア部材の位置ずれを弾性部材にて吸収しているが、この手段では、弾性部材がドア部材に収納されているため、ドア部材の厚みが大きくならざるを得なく、レーザプリンタ１の大型化を招いてしまう。
【００６４】
これに対して、本実施形態では、前述したように、開閉ドア４０をフレーム３０に対して高い精度で位置決めすることができ、かつ、ローラ２２Ｂが開閉ドア４０（ドアフレーム４１）に一体化されていので、フレーム３０に対するドアフレーム４１の位置ずれを吸収する弾性部材を開閉ドア４０に設ける必要がない。このため、本実施形態では、開閉ドア４０の厚みが大きくなることを防止できるので、レーザプリンタ１の大型化を防止できる。
【００６５】
以上の説明からも明らかなように、本実施形態では、レーザプリンタ１の大型化を防止しつつ、ローラ２２Ｂ及び開閉ドア４０を高い精度で位置決めすることができる。
ところで、フレーム３０及びドアフレーム４１（開閉ドア４０）のうち少なくとも一方が撓んでいると、ドアフレーム４１をフレーム３０に対して精度よく位置決めすることが困難である可能性がある。
【００６６】
そこで、本実施形態では、開閉ドア４０の剛性、つまりドアフレーム４１の剛性をフレーム３０の剛性に比べて小さくすることにより、開閉ドア４０が閉じられたときに、開閉ドア４０をフレーム３０の形状に沿うように撓み変形し易いようにしている。このため、本実施形態では、開閉ドア４０又はフレーム３０が、多少、歪んでいる場合であっても、開閉ドア４０をフレーム３０に対して精度よく位置決めすることができる。
【００６７】
また、本実施形態では、ヒンジ機構５０は、開閉ドア４０に設けられたドア側長穴５１及びフレーム３０に設けられた本体側長穴５２から構成され、本体側長穴５２の長径方向は水平方向に略平行であり、かつ、ドア側長穴５１の長径方向と本体側長穴５２の長径方向とは、回転軸線方向から見て、開閉ドア４０が閉じられた場合において略直交しているので、開閉ドア４０が開かれて略水平となったときには、図６に示すように、ドア側長穴５１及び本体側長穴５２は、両方とも、その長手方向が略水平となるので、開閉ドア４０の鉛直方向のがたつきが規制される。
【００６８】
したがって、開閉ドア４０が開かれた状態において、ユーザが開閉ドア４０のがたつきを感じ難くなるので、開閉ドア４０を開いたときに使用者が感じる感触を向上させることができる。
【００６９】
また、開閉ドア４０が閉じられたときには、ドア側長穴５１の長径方向と本体側長穴５２の長径方向とが略直交しているので、開閉ドア４０が変位することによりフレーム３０に対する開閉ドア４０の組み付け寸法バラツキを吸収して、確実に第１、２本体側当接部３０Ｂ、３０Ｃ及び当て面３０Ａを接触させることができる。したがって、開閉ドア４０をフレーム３０に対して高い精度で位置決めすることができる。
【００７０】
３．発明特定事項と実施形態との対応関係
本実施形態では、画像形成部１０が特許請求の範囲に記載された画像形成手段に相当し、フレーム３０及び筐体３により特許請求の範囲に記載された本体部材が構成され、開閉ドア４０が特許請求の範囲に記載されたドア部材に相当する。
【００７１】
また、第１本体側当接部３０Ｂが特許請求の範囲に記載された第１位置決め部に相当し、第２本体側当接部３０Ｃが特許請求の範囲に記載された第２位置決め部に相当し、当て面３０Ａが特許請求の範囲に記載された第３位置決め部に相当する。
【００７２】
また、ヒンジバネ５４及びコイルバネ６３にて特許請求の範囲に記載された弾性手段が構成され、コイルバネ６３が特許請求の範囲に記載された第１バネ手段に相当し、ヒンジバネ５４が特許請求の範囲に記載された第２バネ手段に相当し、ローラ２２Ｂが特許請求の範囲に記載された搬送手段に相当する。
【００７３】
（その他の実施形態）
上述の実施形態では、フレーム３０に第１本体側当接部３０Ｂ、第２本体側当接部３０Ｃ及び当て面３０Ａが設けられていたが、本発明はこれに限定されるものではなく、本体部材を構成する筐体３に第１本体側当接部３０Ｂ、第２本体側当接部３０Ｃ及び当て面３０Ａを設けてもよい。
【００７４】
また、上述の実施形態では、ドアフレーム４１とドアカバー４２とは別体であったが、本発明はこれに限定されるものではなく、両者を一体成形してもよい。
また、ロック機構６０で発生する水平方向成分Ｆ1及び鉛直方向成分Ｆ2を利用して、第１、２本体側当接部３０Ｂ、３０Ｃと開閉ドア４０（ドアフレーム４１）との接触面圧、及び鉛直位置決め部４５と当て面３０Ａとの接触面圧を増大させたが、本発明はこれに限定されるものではない。
【００７５】
また、上述の実施形態では、開閉ドア４０の剛性をフレーム３０より小さくしたが、本発明はこれに限定されるものではない。
また、上述の実施形態では、係合アーム６１を開閉ドア４０に設け、係合突起部６２をフレーム３０に設けたが、本発明はこれに限定されるものではなく、係合アーム６１をフレーム３０に設け、係合突起部６２を開閉ドア４０に設けてもよい。
【００７６】
また、上述の実施形態では、ロック機構６０用の弾性手段としてコイルバネ６３を用いたが、本発明はこれに限定されるものではなく、例えばロック機構６０用の弾性手段として捻りコイルバネを用いてもよい。
【００７７】
また、上述の実施形態では、本体側長穴５２の長径方向が水平方向に略平行であったが、本発明はこれに限定されるものではなく、これとは逆に、本体側長穴５２の長径方向が鉛直方向に略平行となるようにしてもよい。
【００７８】
また、本発明は、特許請求の範囲に記載された発明の趣旨に合致するものであればよく、上述の実施形態に限定されるものではない。
【図面の簡単な説明】
【００７９】
【図１】本発明の実施形態に係るレーザプリンタ１の外観斜視図である。
【図２】本発明の実施形態に係るレーザプリンタ１を鉛直方向断面にて切断したときの概略断面図である。
【図３】図２において開閉ドア４０を開いた状態を示す図である。
【図４】本発明の実施形態に係るロック機構６０の拡大図である。
【図５】本発明の実施形態に係るヒンジ機構５０の拡大図である。
【図６】本発明の実施形態に係るヒンジ機構５０の拡大図である。
【図７】図２のＡ部拡大図である。
【符号の説明】
【００８０】
１…レーザプリンタ、３…筐体、３Ａ…開口部、５…排紙トレイ、７…操作パネル、
９…排出部、１０…画像形成部、２０…給紙トレイ、２１…搬送ローラ、
２２…第２案内機構、２２Ａ、２２Ｂ…ローラ、３０…フレーム、
３０Ａ…当て面、３０Ｂ…第１本体側当接部、３０Ｃ…第２本体側当接部、
３１…サイドフレーム、３２…補強部材、４０…開閉ドア、４１…ドアフレーム、
４１Ａ…第１所定部位、４１Ｂ…第２所定部位、４２…ドアカバー、
４２Ａ…ボス部、４４…アーム部、４５…鉛直位置決め部、５０…ヒンジ機構、
５１…ドア側長穴、５２…本体側長穴、５３…回転軸、５４…ヒンジバネ、
６０…ロック機構、６１…係合アーム、６１Ａ…傾斜面、６１Ｂ…突起部、
６１Ｃ…アーム側案内面、６２…係合突起部、６２Ａ…頂部、
６２Ａ…突起部側案内面、６３…コイルバネ。
【図１】
2008032836.tif 000003
【図２】
2008032836.tif 000004
【図３】
2008032836.tif 000005
【図４】
2008032836.tif 000006
【図５】
2008032836.tif 000007
【図６】
2008032836.tif 000008
【図７】
2008032836.tif 000009